(57)【要約】【課題】本発明は、蓄電装置の設置スペース及び保守作業スペースを容易に確保することができ、蓄電装置の大容量化に容易に対応することができるエレベータ装置を得ることを目的とするものである。【解決手段】かご枠９は、かご室１０の両側に配置されている一対の立柱１１と、立柱１１の上端部間に固定されている上梁と、立柱１１間に固定され、かご室１０を支持するかご床１２と、立柱１１の下端部間に固定されている蓄電装置支持床１３とを有している。蓄電装置支持床１３は、かご床１２の下方に配置されている。蓄電装置支持床１３上には、かご搭載電気機器に電力を供給する複数の蓄電装置１４が支持され固定されている。【選択図】図１
2014118277.tif 000002
【特許請求の範囲】
【請求項１】
かご枠と、前記かご枠に支持されているかご室と、複数のかご搭載電気機器とを有しており、昇降路内を昇降されるかご、及び
前記かごに搭載されており、前記かご搭載電気機器に電力を供給する複数の蓄電装置
を備え、
前記かご枠は、前記かご室を支持するかご床と、前記かご床及び前記かご室に対して上下方向に間隔をおいて配置されており、前記蓄電装置を支持する蓄電装置支持床とを有しているエレベータ装置。
【請求項２】
前記蓄電装置支持床は、前記かご床の下方に配置されている請求項１記載のエレベータ装置。
【請求項３】
前記昇降路の底部に設置されている緩衝器をさらに備え、
前記蓄電装置支持床には、前記緩衝器を通す貫通孔が設けられている請求項２記載のエレベータ装置。
【請求項４】
前記かご床の乗場側端部には、下方へ突出したかご床カバーが脱着可能に取り付けられている請求項２又は請求項３に記載のエレベータ装置。
【請求項５】
前記蓄電装置支持床の乗場側端部には、下方へ突出した支持床カバーが取り付けられている請求項２から請求項４までのいずれか１項に記載のエレベータ装置。
【請求項６】
前記蓄電装置が、前記かごの重心の水平方向の位置調整をするバランス錘を兼ねている請求項１から請求項５までのいずれか１項に記載のエレベータ装置。
【請求項７】
前記蓄電装置支持床は、網目状の材料で構成されている請求項１から請求項６までのいずれか１項に記載のエレベータ装置。
【発明の詳細な説明】
【技術分野】
【０００１】
この発明は、かご搭載電気機器に電力を供給する蓄電装置がかごに搭載されているエレベータ装置に関するものである。
【背景技術】
【０００２】
従来のエレベータ装置のかごには、例えば、照明装置、空調装置、ドア開閉駆動装置、行き先表示装置、及び操作パネル等の電気機器が搭載されている。一般に、これらの電気機器への給電は、機械室とかごとの間に敷設された給電ケーブルを介して行われている。
【０００３】
これに対して、近年、給電ケーブルを軽量化又は省略するため、昇降路に電力送電装置が設置され、電力受電装置及び蓄電池がかご上に設置されているエレベータ装置が提案されている。このエレベータ装置では、電力受電装置が電力送電装置からの電力を非接触で受け、電力受電装置で受けた電力が蓄電池に蓄電される。そして、蓄電池に蓄電された電力が、かごに搭載された電気機器に供給される（例えば、特許文献１参照）。
【０００４】
また、かごの走行により発電する発電機がかご枠上に搭載されており、発電された電力を蓄電する蓄電池がかご室上に搭載されているエレベータ装置も提案されている（例えば、特許文献２参照）。
【０００５】
さらに、給電装置の給電部が昇降路壁に設けられており、受電部及び充電部がかご上に搭載されており、複数の蓄電池装置がかご床受けフレームの下部に吊り下げられているエレベータ装置も提案されている。このエレベータ装置では、かごが所定の階に停止した際に、受電部が給電部に機械的及び電気的に接続される。そして、給電装置からの電力が、受電部及び充電部を介して蓄電池装置に充電される（例えば、特許文献３参照）。
【０００６】
さらにまた、かご吊り車の回転により発電する発電機と、発電機により発電された電力を蓄電するバッテリとがかごの下部に搭載されているエレベータ装置も提案されている（例えば、特許文献４参照）。
【先行技術文献】
【特許文献】
【０００７】
【特許文献１】特開平２００６−２６４８５５号公報（５頁、００２３〜００２８段落、図２）
【特許文献２】実開平４−１０９９７０号公報（４頁、００１１段落、図１）
【特許文献３】特開２０１１−２４６２１８号公報（３頁、０００９段落、図１）
【特許文献４】特開２００５−１４５６５２号公報（６頁、００４１段落、図１）
【発明の概要】
【発明が解決しようとする課題】
【０００８】
上記のような従来のエレベータ装置では、かご上又はかご下の蓄電装置の設置スペースが限られているため、かごに搭載された電気機器への必要供給電力が大きくなり、大容量の蓄電装置が必要となった場合、蓄電装置の設置が難しくなる。また、蓄電装置を設置できた場合にも、蓄電装置の保守作業スペースを確保するのが難しくなる。
【０００９】
この発明は、上記のような課題を解決するためになされたものであり、蓄電装置の設置スペース及び保守作業スペースを容易に確保することができ、蓄電装置の大容量化に容易に対応することができるエレベータ装置を得ることを目的とする。
【課題を解決するための手段】
【００１０】
この発明に係るエレベータ装置は、かご枠と、かご枠に支持されているかご室と、複数のかご搭載電気機器とを有しており、昇降路内を昇降されるかご、及びかごに搭載されており、かご搭載電気機器に電力を供給する複数の蓄電装置を備え、かご枠は、かご室を支持するかご床と、かご床及びかご室に対して上下方向に間隔をおいて配置されており、蓄電装置を支持する蓄電装置支持床とを有している。
【発明の効果】
【００１１】
この発明のエレベータ装置は、かご床及びかご室に対して上下方向に間隔をおいて配置された蓄電装置支持床がかご枠に設けられており、この蓄電装置支持床上に蓄電装置が支持されているので、蓄電装置の設置スペース及び保守作業スペースを容易に確保することができ、蓄電装置の大容量化に容易に対応することができる。
【図面の簡単な説明】
【００１２】
【図１】この発明の実施の形態１によるエレベータ装置を示す概略の側面図である。
【図２】図１のエレベータ装置の蓄電装置に対する保守作業時の状態を示す側面図である。
【図３】この発明の実施の形態２によるエレベータの要部を示す斜視図である。
【発明を実施するための形態】
【００１３】
以下、この発明を実施するための形態について、図面を参照して説明する。
実施の形態１．
図１はこの発明の実施の形態１によるエレベータ装置（ロープ式エレベータ）を示す概略の側面図である。図において、昇降路１の上部には、巻上機（駆動装置）２が設置されている。巻上機２は、駆動シーブ３、駆動シーブ３を回転させる巻上機モータ４、及び駆動シーブ３の回転を制動する巻上機ブレーキ（図示せず）を有している。
【００１４】
巻上機２の近傍には、そらせ車５が設置されている。駆動シーブ３及びそらせ車５には、懸架手段６が巻き掛けられている。懸架手段６としては、複数本のロープ又は複数本のベルトが用いられている。
【００１５】
懸架手段６の第１の端部には、かご７が接続されている。懸架手段６の第２の端部には、釣合おもり８が接続されている。かご７及び釣合おもり８は、懸架手段６によって昇降路１内に吊り下げられており、巻上機２によって昇降路１内を昇降される。昇降路１内には、かご７の昇降を案内する一対のかごガイドレール（図示せず）と、釣合おもり８の昇降を案内する一対の釣合おもりガイドレール（図示せず）とが設置されている。
【００１６】
かご７は、かご枠９と、かご枠９に支持されているかご室１０と、複数のかご搭載電気機器２４とを有している。かご搭載電気機器２４には、例えば、照明装置、空調装置、ドア開閉駆動装置、行き先表示装置、及び操作パネル等が含まれている。照明装置、空調装置及びドア開閉駆動装置は、かご７上に設置されている。行き先表示装置及び操作パネルは、かご室１０内に設置されている。
【００１７】
かご枠９は、かご室１０の両側に配置されている一対の鉛直な立柱１１と、立柱１１の上端部間に固定されている上梁（図示せず）と、立柱１１間に固定され、かご室１０を支持する水平なかご床１２と、立柱１１の下端部間に固定されている水平な蓄電装置支持床１３とを有している。
【００１８】
蓄電装置支持床１３は、かご床１２及びかご室１０に対して上下方向に間隔をおいて配置されている。この例では、蓄電装置支持床１３は、かご床１２の下方に配置されている。即ち、かご枠９は、上下２段の床構造を有している。また、蓄電装置支持床１３は、網目状（格子状）の材料で構成されている。
【００１９】
蓄電装置支持床１３上には、かご搭載電気機器２４に電力を供給する複数の蓄電装置１４が支持され固定されている。かご７上には、受電装置１５が搭載されている。昇降路壁には、少なくとも１つの給電装置１６が設置されている。この例では、給電装置１６は、かご７が乗場に停止した際に受電装置１５に対向する位置に設置されている。
【００２０】
受電装置１５は、給電装置１６から電力を非接触で受ける。受電装置１５で受けた電力は、蓄電装置１４に蓄電される。これにより、かご７に電力を供給するための給電ケーブルは廃止されている。給電装置１６から受電装置１５への給電方法としては、例えば、電磁誘導方式又は電界共鳴方式等の非接触給電方式を適用することができる。また、プラグを用いた接触方式で給電するようにしてもよい。
【００２１】
また、給電装置１６から受電装置１５への給電が可能な状態では、受電装置１５によりかご搭載電気機器２４への電力供給を行ってもよい。この場合も、給電装置１６から受電装置１５への給電が不可な状態では、蓄電装置１４によりかご搭載電気機器２４への電力供給が行われる。
【００２２】
蓄電装置１４は、蓄電装置本体と、蓄電装置本体の充放電を制御する充放電回路とによって構成されている。蓄電装置本体は、例えば、充放電可能な２次電池、又は電気２重層コンデンサなどのキャパシタにより構成されている。また、蓄電装置１４の個数は、かご搭載電気機器２４が必要とする電力量に応じて決定される。
【００２３】
なお、蓄電容量の増大は、蓄電装置１４の個数を増やすことにより実現できるが、この場合、蓄電装置本体のみを追加し、充放電回路は全体で共有するようにしてもよい。
【００２４】
かご床１２の乗場側端部には、鉛直下方へ突出したかご床カバー１７が脱着可能に取り付けられている。蓄電装置支持床１３の乗場側端部には、鉛直下方へ突出した支持床カバー１８が脱着可能に取り付けられている。かご床カバー１７及び支持床カバー１８は、乗場出入口の幅方向の範囲以上の範囲に渡って設けられている。
【００２５】
かご床カバー１７は、何らかの原因によって、かご床１２が乗場床１９よりも上方に位置した状態で停止し、かつ乗場ドア２０が開いた場合に、かご床１２と乗場床１９との間に生じた隙間から、物等が昇降路１内に落下するのを防止する。
【００２６】
かご枠９の上端部の幅方向両側には、一対の上部かごガイド装置２１が設けられている。かご枠９の下端部の幅方向両側には、一対の下部かごガイド装置２２が設けられている。これらのかごガイド装置２１，２２としては、スライドガイド装置又はローラガイド装置が用いられている。
【００２７】
図２は図１のエレベータ装置の蓄電装置１４に対する保守作業時の状態を示す側面図である。蓄電装置１４に対する保守作業時（交換時も含む）には、図２に示すように、蓄電装置支持床１３が乗場床１９（フロアレベル）に一致するように、かご７を移動させる。そして、乗場ドア２０を開けて、かご床カバー１７を取り外す。これにより、乗場出入口から蓄電装置支持床１３上への作業員の移動が可能となる。
【００２８】
このようなエレベータ装置では、かご枠９のかご床１２の下方に蓄電装置支持床１３を設け、この蓄電装置支持床１３上に蓄電装置１４が支持されているので、蓄電装置１４の設置スペース及び保守作業スペースを容易に確保することができる。このため、かご搭載電気機器２４への必要供給電力が大きくなり、大容量の蓄電装置１４が必要となった場合でも、蓄電装置１４の個数を増やすことにより、大容量化に容易に対応することができる。
【００２９】
また、蓄電装置支持床１３を設けるためにかご枠９が上下方向に延長されるので、上部かごガイド装置２１と下部かごガイド装置２２との間の間隔（設置スパン）が広くなる。これにより、ガイドシュー反力が軽減され、かご７内振動を抑えることができる。
【００３０】
さらに、蓄電装置支持床１３がかご床１２の下方に配置されているため、最下階が１階の場合でも、作業員が１階の乗場出入口から蓄電装置支持床１３上に移動することができ、保守作業の効率を向上させることができる。
【００３１】
さらにまた、かご床カバー１７がかご床１２に対して脱着可能であるため、蓄電装置１４に対する保守作業時に、かご床カバー１７を取り外して、作業員が蓄電装置支持床１３上に容易に移動することができる。
【００３２】
また、蓄電装置支持床１３に支持床カバー１８を設けたので、蓄電装置支持床１３が乗場床１９よりも上方にある状態で乗場ドア２０を開けた場合に、蓄電装置支持床１３と乗場床１９との間に生じた隙間から、物等が昇降路１内に落下するのを防止することができる。
【００３３】
さらに、２個以上の蓄電装置１４を蓄電装置支持床１３上の任意の位置に配置することができるので、蓄電装置１４に、かご７の重心の水平方向の位置調整をするバランス錘を兼ねさせることができる。これにより、バランス錘を省略し、かご７の軽量化を図ることができる。
【００３４】
さらにまた、蓄電装置支持床１３が網目状の材料で構成されているので、蓄電装置支持床１３に埃が堆積するのを防止することができる。また、蓄電装置支持床１３を軽量化することができる。さらに、何らかの原因で蓄電装置支持床１３上に水滴が溜まるのも防止することができる。
【００３５】
実施の形態２．
次に、図３はこの発明の実施の形態２によるエレベータの要部を示す斜視図である。図において、昇降路１の底部（昇降路ピット）には、かご緩衝器２３が設置されている。蓄電装置支持床１３のかご緩衝器２３の真上の部分には、かご７が最下階に停止した際にかご緩衝器２３を通す貫通孔１３ａが設けられている。また、かご７がかご緩衝器２３に衝突した際の衝撃を受ける緩衝器受け（図示せず）は、かご床１２側に設置されている。他の構成は、実施の形態１と同様である。
【００３６】
このようなエレベータ装置では、実施の形態１の効果に加えて、昇降路ピットの深さ寸法の増大を抑えることができる。即ち、蓄電装置支持床１３に貫通孔１３ａがない場合では、かご７が最下階に停止したときに、かご緩衝器２３と蓄電装置支持床１３とが干渉しないだけのピット深さを確保する必要がある。これに対して、蓄電装置支持床１３に貫通孔１３ａを設けることで、かご緩衝器２３と蓄電装置支持床１３との干渉が回避され、蓄電装置支持床１３を設置した場合におけるピット深さの増大を抑え、省スペース化を図ることができる。
【００３７】
なお、実施の形態２において、２個以上のかご緩衝器２３が設置されている場合には、かご緩衝器２３の個数に対応した数の貫通孔１３ａを設けるか、又は貫通孔１３ａの開口面積を拡大すればよい。
また、実施の形態１、２では、蓄電装置支持床１３をかご床１２の下方に配置したが、かご室１０の上方に配置してもよい。この場合、蓄電装置支持床には懸架手段６を通す孔を設ければよい。
さらに、実施の形態１、２では、受電装置１５をかご７の上部に設置したが、かご床１２の下部に設置したり、蓄電装置支持床１３上に設置したりしてもよい。
さらにまた、図１では１：１ローピングのエレベータ装置を示したが、ローピング方式はこれに限定されるものではなく、例えば２：１ローピングのエレベータ装置にもこの発明は適用できる。
また、この発明は、例えば、巻上機２が機械室に設置されたエレベータ装置、機械室を持たない機械室レスエレベータなど、種々のタイプのエレベータ装置に適用できる。
【符号の説明】
【００３８】
１  昇降路、７  かご、９  かご枠、１０  かご室、１２  かご床、１３  蓄電装置支持床、１３ａ  貫通孔、１４  蓄電装置、１７  かご床カバー、１８  支持床カバー、２３  緩衝器、２４  かご搭載電気機器。
【図１】
2014118277.tif 000003
【図２】
2014118277.tif 000004
【図３】
2014118277.tif 000005